(57)【要約】【課題】カートリッジとホルダとを有するフィルタアセンブリが本体に取り付けられた浄水器であって、ホルダが本体に取り付けられた状態においてホルダからカートリッジを取り外す場合に、フィルタアセンブリの外部にこぼれる水が浄水器の外部に飛散することを防止することが可能な浄水器を提供する。【解決手段】浄水器１は、筐体１０とフィルタアセンブリ１００とトレイ１６０とを備えている。フィルタアセンブリ１００は、カートリッジ１９０と、カートリッジ１９０に着脱自在に連結されるホルダ１１０とを有している。カートリッジ１９０は、水を濾過するフィルタを含む。フィルタアセンブリ１００は、筐体１０に取り付けられる。トレイ１６０は、カートリッジ１９０がホルダ１１０から取り外される場合に、筐体１０に対するフィルタアセンブリ１００の移動に連動する。【選択図】図３
2014030810.tif 000002
【特許請求の範囲】
【請求項１】
本体と、前記本体に取り付けられるフィルタアセンブリとを備え、
前記フィルタアセンブリは、水を濾過するフィルタを含むカートリッジと、前記カートリッジに着脱自在に連結されるホルダとを有し、さらに、
前記フィルタアセンブリを前記本体に対して移動させることによって前記カートリッジを前記ホルダから取り外す場合に、前記本体に対する前記フィルタアセンブリの移動に連動する水受け部を備えた、浄水器。
【請求項２】
前記カートリッジが前記ホルダから取り外される場合に、前記ホルダと前記カートリッジとの接合面を鉛直方向に投影した面の少なくとも一部は、前記水受け部における水を受ける面を鉛直方向に投影した面の範囲に配置される、請求項１に記載の浄水器。
【請求項３】
前記カートリッジが前記ホルダから取り外される場合に、前記フィルタアセンブリが前記本体に対して移動を制限される位置に到達するときに、前記ホルダと前記カートリッジとの接合面を鉛直方向に投影した面の全体は、前記水受け部における水を受ける面を鉛直方向に投影した面の範囲に配置される、請求項１または請求項２に記載の浄水器。
【請求項４】
前記水受け部よりも下方に位置する受皿をさらに備えた、請求項１から請求項３までのいずれか１項に記載の浄水器。
【請求項５】
前記受皿は、前記本体に着脱自在に取り付けられている、請求項４に記載の浄水器。
【請求項６】
前記水受け部には、前記水受け部から前記受皿に水を落下させる孔が形成され、
前記孔は、前記カートリッジが前記ホルダから取り外される場合に前記本体に対する移動が制限される位置に前記フィルタアセンブリが到達するときに前記水受け部の水を受ける面において下端に位置する、請求項４または請求項５に記載の浄水器。
【請求項７】
前記本体は、前記孔よりも下方且つ前記受皿の上方において上下方向に延びる誘導壁を有している、請求項６に記載の浄水器。
【請求項８】
前記水受け部は、前記フィルタアセンブリの移動に連動する第１の部分と、前記第１の部分に連結された第２の部分と、前記第１の部分と前記第２の部分とが近づく方向に前記第２の部分を付勢する付勢部材とを有している、
請求項１から請求項７までのいずれか１項に記載の浄水器。
【請求項９】
前記本体は、壁部を有し、
前記壁部には、前記本体に対して前記水受け部が移動するときに前記水受け部が通る開口部が形成され、
前記水受け部は、前記開口部の縁に係止されるストッパを有している、
請求項１から請求項８までのいずれか１項に記載の浄水器。
【請求項１０】
前記本体は、壁部を有し、
前記壁部には、前記本体に対して前記水受け部が移動するときに前記水受け部が通る開口部が形成され、
前記水受け部は、前記開口部の縁に引っ掛けられる突出部を有している、
請求項１から請求項９までのいずれか１項に記載の浄水器。
【請求項１１】
前記本体は、壁部を有し、
前記壁部には、前記本体に対して前記水受け部が移動するときに前記水受け部が通る開口部が形成され、
前記水受け部は、前記フィルタアセンブリが前記本体に取り付けられた状態において、前記開口部の縁に引っ掛けられる爪部を有している、
請求項１から請求項１０までのいずれか１項に記載の浄水器。
【請求項１２】
前記ホルダは、軸線を有し且つ前記本体に対して前記軸線を中心に回転移動する、
請求項１から請求項１１までのいずれか１項に記載の浄水器。
【請求項１３】
前記水受け部に固定された支持部材をさらに備えた、請求項１２に記載の浄水器。
【請求項１４】
前記支持部材は前記カートリッジを着脱自在に支持する、請求項１３に記載の浄水器。
【請求項１５】
一端部と他端部とを含み長手方向の所定の寸法を有する連結部をさらに備え、
前記連結部が前記軸線を中心に前記ホルダとともに回転するように、前記一端部が前記ホルダに連結され且つ前記他端部が前記支持部材に連結されている、
請求項１４に記載の浄水器。
【発明の詳細な説明】
【技術分野】
【０００１】
本発明は、水を濾過するフィルタアセンブリを備えた浄水器に関する。
【背景技術】
【０００２】
水を濾過するフィルタアセンブリを備えた浄水器において、フィルタアセンブリのカートリッジを離脱する場合に、付近に水が飛散することを防止する装置として、特開平５−３２９４７４号公報（以下、特許文献１という）に記載された水流出防止装置が知られている。特許文献１に記載の水流出防止装置は、流水路の一部に設けた水の流入口と流出口とを有するカートリッジケースと、カートリッジケース内に着脱自在に収納するカートリッジと、流入口側の流水路を開閉する応動弁とを備えている。応動弁は、カートリッジの離脱によって流水路を閉止して水がカートリッジ内に入ることを防止する。
【０００３】
特許文献１に記載の水流出防止装置において、応動弁は、弁体とスプリングとによって構成されている。スプリングは、弁体が流出口を押圧して閉止するように、弁体を付勢する。スプリングの付勢方向は、流入口への水の流入方向と同じ方向である。
【０００４】
水の流入方向と同じ方向で流入口を応動弁が閉止するため、水圧とスプリングの付勢力とによって流入口を瞬間的に閉止することができ、且つ、閉止後においても水圧によって確実に閉止状態を保持することができる。
【先行技術文献】
【特許文献】
【０００５】
【特許文献１】特開平５−３２９４７４号公報
【発明の概要】
【発明が解決しようとする課題】
【０００６】
しかしながら、特許文献１に記載の水流出防止装置の構成によれば、カートリッジケースからカートリッジを取り外した後に、応動弁が流入口を閉止することによって、カートリッジケース内部に水が流入することを防ぐことができるとしても、カートリッジが離脱したときに、カートリッジが収容される空間に残った水がカートリッジケースから浄水装置の外部にこぼれてしまう可能性がある。
【０００７】
そのため、カートリッジが離脱したときに、カートリッジが収容される空間に残った水を浄水装置の外部にこぼさないような構成が必要であると考えられる。
【０００８】
そこで、本発明の目的は、カートリッジとホルダとを有するフィルタアセンブリが本体に取り付けられた浄水器であって、ホルダが本体に取り付けられた状態においてホルダからカートリッジを取り外す場合に、フィルタアセンブリの外部にこぼれる水が浄水器の外部に飛散することを防止することが可能な浄水器を提供することである。
【課題を解決するための手段】
【０００９】
本発明に従った浄水器は、本体とフィルタアセンブリと水受け部とを備えている。フィルタアセンブリは、本体に取り付けられる。フィルタアセンブリは、カートリッジと、カートリッジに着脱自在に連結されるホルダとを有している。カートリッジは、水を濾過するフィルタを含む。水受け部は、フィルタアセンブリを本体に対して移動させることによってカートリッジをホルダから取り外す場合に、本体に対するフィルタアセンブリの移動に連動する。
【００１０】
本発明に従った浄水器においては、カートリッジがホルダから取り外される場合には、本体に対するフィルタアセンブリの移動に、水受け部が連動する。例えばフィルタを交換する場合等、カートリッジがホルダから取り外される場合に、フィルタアセンブリの内部から溢れた水は、水受け部に受け止められるため、当該浄水器の外部には水がこぼれ難い。そのため、当該浄水器がシンクで使用されていない場合、例えば壁に掛けられた状態等で当該浄水器が使用されている場合であっても、当該浄水器から外部に水が飛散して床面が濡れるような事態を防止することができる。
【００１１】
このようにすることにより、カートリッジとホルダとを有するフィルタアセンブリが本体に取り付けられた浄水器であって、ホルダが本体に取り付けられた状態においてホルダからカートリッジを取り外す場合に、フィルタアセンブリの外部にこぼれる水が浄水器の外部に飛散することを防止することが可能な浄水器を提供することができる。
【００１２】
本発明に従った浄水器において、カートリッジがホルダから取り外される場合に、ホルダとカートリッジとの接合面を鉛直方向に投影した面の少なくとも一部は、好ましくは、水受け部における水を受ける面を鉛直方向に投影した面の範囲に配置される。
【００１３】
この構成によれば、カートリッジがホルダから取り外される場合に、水受け部の水を受ける面において、接合面から滴る水を受け止めることができる。このようにして、本発明に従った浄水器においては、当該浄水器の外部に水が飛散することを防止することができる。
【００１４】
本発明に従った浄水器において、カートリッジがホルダから取り外される場合に、フィルタアセンブリが本体に対して移動を制限される位置に到達するときに、ホルダとカートリッジとの接合面を鉛直方向に投影した面の全体は、好ましくは、水受け部における水を受ける面を鉛直方向に投影した面の範囲に配置される。
【００１５】
この構成によれば、カートリッジがホルダから取り外される場合に、水受け部の水を受ける面において、接合面から溢れる水のほぼ全部を受け止めることができる。このようにして、本発明に従った浄水器においては、当該浄水器の外部に水が飛散することを防止することができる。また、フィルタアセンブリの本体に対する移動が制限される位置において、使用者がカートリッジをホルダから取り外す際に、ホルダとカートリッジとの接合面からフィルタアセンブリの外部に水が溢れ出ようとしたとしても、その水が当該浄水器の外部に飛散することを防止することができる。
【００１６】
本発明に従った浄水器は、好ましくは、受皿をさらに備えている。受皿は、水受け部よりも下方に位置する。
【００１７】
この構成によれば、水受け部から溢れた水または水受け部から離れた位置に滴り落ちた水等は、受皿に受け止められる。そのため、当該浄水器の外部に水が飛散することをさらに防止することができる。
【００１８】
本発明に従った浄水器において、受皿は、好ましくは、本体に着脱自在に取り付けられている。
【００１９】
この構成によれば、受皿に水を溜めたうえで、溜まった水を処分することができる。
【００２０】
本発明に従った浄水器において、好ましくは、水受け部には、水受け部から受皿に水を落下させる孔が形成されている。孔は、カートリッジがホルダから取り外される場合に本体に対する移動が制限される位置にフィルタアセンブリが到達するときに水受け部の水を受ける面において下端に位置する。
【００２１】
ホルダからカートリッジが取り外される場合には、ホルダとカートリッジとの接合面から水が溢れる。ホルダとカートリッジとの接合面から溢れた水は、水受け部の水を受ける面において受け止められる。また、本発明に従った浄水器においては、ホルダからカートリッジが取り外される場合に、水受け部は、本体に対するフィルタアセンブリの移動に連動する。この構成によれば、本体に対するフィルタアセンブリの移動が制限される位置において水受け部の本体に対する移動を停止させたままで、水受け部の孔から受皿に水を落とすことによって、受皿に水を集めることができる。
【００２２】
本発明に従った浄水器において、本体は、好ましくは、誘導壁を有している。誘導壁は、孔よりも下方且つ受皿の上方において上下方向に延びる。
【００２３】
この構成によれば、誘導壁によって、水受け部から受皿に水を容易に誘導することができる。そのため、受皿に水を効率よく集めることができる。
【００２４】
本発明に従った浄水器において、水受け部は、好ましくは、第１の部分と第２の部分と付勢部材とを有している。第１の部分は、フィルタアセンブリの移動に連動する。第２の部分は、第１の部分に連結されている。付勢部材は、第１の部分と第２の部分とが近づく方向に第２の部分を付勢する。
【００２５】
この構成によれば、水受け部を使用しない場合に、第１の部分と第２の部分とを近づけることによって水受け部をコンパクトにまとめることができる。そのため、当該浄水器の小型化を図ることができる。
【００２６】
本発明に従った浄水器において、本体は、好ましくは、壁部を有している。壁部には、本体に対して水受け部が移動するときに水受け部が通る開口部が形成されている。水受け部は、好ましくは、開口部の縁に係止されるストッパを有している。
【００２７】
この構成によれば、ストッパが開口部に係止されることによって、壁部つまり本体に対する水受け部の移動を制限することができる。これにより、開口部を通して水受け部が元の位置に戻ることを防止することができる。
【００２８】
本発明に従った浄水器において、本体は、好ましくは、壁部を有している。壁部には、本体に対して水受け部が移動するときに水受け部が通る開口部が形成されている。水受け部は、好ましくは、開口部の縁に引っ掛けられる突出部を有している。
【００２９】
この構成によれば、突出部が開口部の縁に引っ掛けられることによって、壁部つまり本体に対する水受け部の移動を制限することができる。水受け部はフィルタアセンブリの移動に連動するため、フィルタアセンブリの本体に対する移動が制限される位置においては、水受け部は本体に対して移動が制限される。したがって、使用者は、壁部つまり本体に対するフィルタアセンブリおよび水受け部の移動が制限される位置において、カートリッジをホルダから容易に取り外すことができる。
【００３０】
本発明に従った浄水器において、本体は、好ましくは、壁部を有している。壁部には、本体に対して水受け部が移動するときに水受け部が通る開口部が形成されている。水受け部は、フィルタアセンブリが本体に取り付けられた状態において、好ましくは、開口部の縁に引っ掛けられる爪部を有している。
【００３１】
この構成によれば、フィルタアセンブリが本体に取り付けられた状態において、爪部が開口部に引っ掛けられることによって、壁部つまり本体に対するフィルタアセンブリの移動を制限することができる。これにより、フィルタアセンブリが本体に取り付けられた状態を維持することができる。
【００３２】
本発明に従った浄水器において、ホルダは、好ましくは、軸線を有し且つ本体に対して軸線を中心に回転移動する。
【００３３】
この構成によれば、ホルダは、本体に対して軸線を中心に回転移動する。したがって、この構成によれば、使用者は、ホルダとカートリッジとを含むフィルタアセンブリを、軸線を中心に回転させることによって本体に対して移動させた位置において、カートリッジをホルダから取り外すこと、または、カートリッジをホルダに取り付けることができる。また、この構成によれば、カートリッジの取り付けまたは取り外しのためにフィルタアセンブリを本体に対して移動させるための空間の容積を比較的小さく抑えることができるため、当該浄水器の小型化を図ることができる。
【００３４】
本発明に従った浄水器は、好ましくは、支持部材をさらに備えている。支持部材は、水受け部に固定されている。
【００３５】
この構成によれば、フィルタアセンブリが移動する場合に、水受け部とともに支持部材が移動する。
【００３６】
本発明に従った浄水器において、支持部材は、好ましくは、カートリッジを着脱自在に支持する。
【００３７】
この構成によれば、ホルダにカートリッジが取り付けられている状態においては、支持部材に支持されたカートリッジの移動に、水受け部と支持部材とが連動する。また、この構成によれば、支持部材がカートリッジを着脱自在に支持することができるため、支持部材にカートリッジを支持させたうえで、ホルダにカートリッジを取り付けることができる。
【００３８】
本発明に従った浄水器は、好ましくは、連結部をさらに備えている。連結部は、一端部と他端部とを含み、長手方向の所定の寸法を有する。本発明に従った浄水器においては、好ましくは、連結部が軸線を中心にホルダとともに回転するように、一端部がホルダに連結され且つ他端部が支持部材に連結されている。
【００３９】
支持部材が水受け部に固定されているため、この構成によれば、連結部を介して水受け部がホルダとともに軸線を中心に回転する。これにより、ホルダとカートリッジとを含むフィルタアセンブリと、水受け部とが、本体に対して回転せずに、例えば水平移動または鉛直移動する場合に比べて、本体に対してフィルタアセンブリおよび水受け部が移動する範囲を小さくすることができる。そのため、当該浄水器を小型化することができる。
【発明の効果】
【００４０】
以上のように、本発明によれば、カートリッジとホルダとを有するフィルタアセンブリが本体に取り付けられた浄水器であって、ホルダが本体に取り付けられた状態においてホルダからカートリッジを取り外す場合に、フィルタアセンブリの外部にこぼれる水が浄水器の外部に飛散することを防止することが可能な浄水器を提供することができる。
【図面の簡単な説明】
【００４１】
【図１】本発明に係る浄水器の全体を示す斜視図である。
【図２】本発明に係る浄水器のフィルタアセンブリの拡大断面図である。
【図３】フィルタアセンブリが本体に対して移動を制限される位置に配置された状態における本発明に係る浄水器の全体を示す斜視図である。
【図４】フィルタアセンブリが本体に対して移動を制限される位置において、ホルダからカートリッジが取り外された状態の浄水器を示す斜視図である。
【図５】図４の一部を拡大および分解して示す図であって、カートリッジの一部とホルダと水受け部とを示す斜視図である。
【図６】ホルダからカートリッジが取り外された状態、且つ、本体から受皿が取り出された状態の浄水器を示す斜視図である。
【図７】本発明に係る浄水器の一部断面図であって、（Ａ）はフィルタアセンブリが本体に取り付けられた状態を示す図であり、（Ｂ）は本体に対するフィルタアセンブリの第１の移動の状態を示す図であり、（Ｃ）は本体に対するフィルタアセンブリの第２の移動の状態を示す図である。
【図８】図７（Ａ）に示すＶＩＩＩ部分の一部拡大図である。
【図９】本発明に係る浄水器の一部断面図であって、（Ａ）は本体に対するフィルタアセンブリの第３の移動の状態を示す図であり、（Ｂ）は本体に対するフィルタアセンブリの第４の移動の状態を示す図である。
【図１０】本発明に係る浄水器の一部断面図であって、（Ａ）は本体に対するフィルタアセンブリの第５の移動の状態を示す図であり、（Ｂ）は本体に対するフィルタアセンブリの第６の移動の状態を示す図である。
【図１１】本発明に係る浄水器の一部断面図であって、（Ａ）は本体に対するフィルタアセンブリの第７の移動の状態を示す図であり、（Ｂ）は本体に対するフィルタアセンブリの第８の移動の状態を示す図である。
【図１２】本発明に係る浄水器の一部断面図であって、（Ａ）は本体に対するフィルタアセンブリの第９の移動の状態を示す図であり、（Ｂ）は本体に対するフィルタアセンブリの移動が制限された状態を示す図である。
【図１３】支持部材および水受け部の断面を含む図１２の一部拡大図である。
【発明を実施するための形態】
【００４２】
以下、本発明の実施の形態を図面に基づいて説明する。
【００４３】
図１に、本発明に従った浄水器１を示す。浄水器１は、本体としての筐体１０と、フィルタアセンブリ１００と、支持部材１７０と、連結部７１，７２と、受皿２０とを備えている。筐体１０は、浄水器１の本体の一部を形成する。フィルタアセンブリ１００は、カートリッジ１９０と、カートリッジ１９０に着脱自在に連結されるホルダ１１０とを有している。フィルタアセンブリ１００は、筐体１０の内部に収容されるように筐体１０に取り付けられる。浄水器１が使用される状態においては、ホルダ１１０がカートリッジ１９０の上方に位置するように、フィルタアセンブリ１００が筐体１０の内部に配置されている。なお、矢印Ｆｒに沿った方向から浄水器１を見ることによって、浄水器１の正面が映される。
【００４４】
筐体１０は、壁部１１を有している。壁部１１は、筐体１０の内部に配置されている。壁部１１は、フィルタアセンブリ１００が収容される空間と、後述するトレイ１６０が収容される空間とに、筐体１０の内部の空間を仕切る。壁部１１は、浄水器１が使用される状態において、底壁１８から上方に向かって延びている。
【００４５】
図２に示すように、カートリッジ１９０には、水を濾過するフィルタ１８０が収容されている。ホルダ１１０は、カートリッジ１９０に蓋をするように、カートリッジ１９０に連結される。ホルダ１１０の上部には、管状部材１２０が配置されている。管状部材１２０は、流入部１２１と流出部１２２とを有している。
【００４６】
カートリッジ１９０は、フィルタ１８０を収容する収容部１９１と、外筒部１９２と、内筒部１９３と、嵌合部１９４と、嵌合部１９５とを有している。収容部１９１は、円筒形状を有している。収容部１９１の底部１９１ａは閉口している。収容部１９１の内部には、フィルタ１８０の収容空間１８２が形成されている。液体としての水をフィルタアセンブリ１００が濾過する場合には、収容空間１８２に水が満たされている。フィルタ１８０は、収容部１９１の内周面１８１との間に所定の間隔を隔てて配置されている。フィルタ１８０は、例えば中空糸フィルタによって形成されている。フィルタ１８０は、着脱自在にカートリッジ１９０の上端部に取り付けられている。
【００４７】
カートリッジ１９０において、外筒部１９２、内筒部１９３、嵌合部１９４、および、嵌合部１９５は、互いに一体である。一体である外筒部１９２、内筒部１９３、嵌合部１９４、および、嵌合部１９５のうち、嵌合部１９５の上端には、カートリッジ１９０の内部から水を流出させる流出口１９２ｂが形成されている。このように、カートリッジ１９０においては、上端部が開口し且つ下端部が閉口している。
【００４８】
嵌合部１９５と嵌合部１９４と内筒部１９３と外筒部１９２とは、それぞれ円筒形状を有している。嵌合部１９５の外周壁には、Ｏリング６１が取り付けられている。Ｏリング６１が取り付けられた嵌合部１９５の上方および外周壁の外方を、円柱状の鞘部１２３が覆うことにより、鞘部１２３と嵌合部１９５との間が密閉される。鞘部１２３は、管状部材１２０（つまり、ホルダ１１０の上部）から下方に延びている。
【００４９】
嵌合部１９４の上面１９６には、複数の開口１９２ａが形成されている。管状部材１２０の流入部１２１を流れる水は、開口１９２ａを通ることによって、カートリッジ１９０の内部に流入する。嵌合部１９４の外周壁には、Ｏリング６２が取り付けられている。Ｏリング６１とＯリング６２とは、ゴム等の弾性部材によって形成されている。
【００５０】
外筒部１９２と収容部１９１とは、互いに着脱自在に固定されている。なお、ホルダ１１０の軸心とカートリッジ１９０の軸心とは、ホルダ１１０にカートリッジ１９０が嵌め合わされたときに一致する。ホルダ１１０とカートリッジ１９０との接合面について、フィルタアセンブリ１００の軸線を中心とする円において最も大きな半径を有する円によって形成される接合面は、カートリッジ１９０の内筒部１９３とホルダ１１０とが接合される面である。ホルダ１１０とカートリッジ１９０との接合面のうち、カートリッジ１９０の内筒部１９３とホルダ１１０とが接合される面が、フィルタアセンブリ１００において最も外側に位置し、且つ、最も大きい面積を有している。
【００５１】
水道水または井戸水等の被浄化対象水は、流入口１２１ａを介して流入部１２１に流入する。流入部１２１を流れる水は、連通口１２１ｂを通ることによってホルダ１１０の外部に流出する。ホルダ１１０の内部から外部に流出した水は、カートリッジ１９０の開口１９２ａを通ることによって収容空間１８２まで流れる。
【００５２】
収容空間１８２においてフィルタ１８０に濾過された水は、フィルタ１８０の上側からカートリッジ１９０の外部に流出する。このとき、濾過された水は、流出口１９２ｂを介して流出部１２２まで流れる。流出部１２２には、連通口１２４が形成されている。流出口１９２ｂを通った水は、さらに連通口１２４を通ることにより、流出部１２２の内部に流出する。流出部１２２を流れる濾過水は、流出口１２２ｂを介してフィルタアセンブリ１００の外部に流出する。
【００５３】
長期間にわたって水を濾過すること等によってフィルタ１８０が汚損する場合には、フィルタ１８０を交換する必要がある。フィルタ１８０を交換する場合には、ホルダ１１０からカートリッジ１９０を取り外したうえで、カートリッジ１９０からフィルタ１８０を取り出す。ホルダ１１０からカートリッジ１９０を取り外す場合には、図３に示すように、フィルタアセンブリ１００を筐体１０に対して矢印で示す方向に回転移動させる。
【００５４】
浄水器１は、トレイ１６０を備えている。トレイ１６０は、カートリッジ１９０がホルダ１１０から取り外される場合に、筐体１０に対するフィルタアセンブリ１００の移動に連動する。トレイ１６０は、水受け部の一例である。なお、図３，４，６においては、トレイ１６０を除いた筐体１０の内部の構造、または、トレイ１６０と受皿２０の一部とを除いた筐体１０の内部の構造の図示を省略している。
【００５５】
トレイ１６０は、フィルタアセンブリ１００の移動に連動する上流部１６１と、上流部１６１に連結された下流部１６２とを有している。上流部１６１と下流部１６２とは、それぞれ第１の部分と第２の部分との一例である。
【００５６】
図４には、フィルタアセンブリ１００が筐体１０に対して移動を制限される位置において、ホルダ１１０からカートリッジ１９０が取り外された状態の浄水器１を示す。浄水器１の使用者は、フィルタアセンブリ１００の軸心を中心にカートリッジ１９０をホルダ１１０に対して回転させることによって、ホルダ１１０からカートリッジ１９０を取り外すことができる。
【００５７】
図５に示すように、カートリッジ１９０は、凸状部８０を有している。凸状部８０は、内筒部１９３の外周壁から半径方向の外方に突出するように、内筒部１９３の外周壁に形成されている。ここでいう半径方向とは、カートリッジ１９０の軸心を中心とする円の半径方向である。
【００５８】
一方、ホルダ１１０は、図示しない突起部を有している。この突起部は、ホルダ１１０の内周壁から半径方向の内方に突出している。ここでいう半径方向とは、ホルダ１１０の軸心を中心とする円の半径方向である。ホルダ１１０の突起部と内周壁との間にカートリッジ１９０の凸状部８０が嵌め合わされることによって、カートリッジ１９０がホルダ１１０に連結される。
【００５９】
ホルダ１１０は、軸線Ｃを有し、且つ、筐体１０（図３参照）に対して軸線Ｃを中心に回転移動することができるように、筐体１０に取り付けられている。ホルダ１１０の上部において、管状部材１２０の流入部１２１，１２２には、それぞれマウント部材１３１，１３２が固定されている。マウント部材１３１，１３２が壁部１１（図１参照）に固定されることによって、ホルダ１１０が壁部１１つまり筐体１０に固定される。このようにして、ホルダ１１０は、筐体１０（図３参照）に対して、軸線Ｃを中心とする回転以外の移動を制限されている。浄水器１においては、ホルダ１１０が筐体１０に固定されているため、カートリッジ１９０がホルダ１１０に取り付けられることによって、フィルタアセンブリ１００が筐体１０に取り付けられた状態となる。
【００６０】
また、マウント部材１３１，１３２には、ノズル１３１ａ，１３２ａが形成されている。ノズル１３１ａ，１３２ａが壁部１１（図１参照）に形成された孔（図示せず）を貫通するように、マウント部材１３１，１３２が壁部１１（図１参照）に固定される。壁部１１の向こう側、つまり、筐体１０の奥には、水を流通させる管部材（図示せず）が設けられている。水は、壁部１１を挟んで、管部材の内部とホルダ１１０の内部との間を流通する。
【００６１】
図５に示すように、トレイ１６０の上流部１６１には、支持部材１７０が固定されている。支持部材１７０の断面の形状は、略Ｃ字状である。支持部材１７０は、環の一部が破断されたような略環形状を有している。支持部材１７０はカートリッジ１９０を着脱自在に支持する。
【００６２】
連結部７１，７２は、それぞれ、上端部と下端部とを含み長手方向の所定の寸法を有している。連結部７１，７２においては、ホルダ１１０の軸線Ｃを中心に、ホルダ１１０と連結部７１，７２とが一体に回転するように、上端部がホルダ１１０に連結され且つ下端部が支持部材１７０に連結されている。連結部７１の上端部と連結部７２の上端部とは、それぞれ、管状部材１２０の流出部１２２と流入部１２１とに連結されている。
【００６３】
ホルダ１１０からカートリッジ１９０が取り外される場合には、フィルタアセンブリ１００の内部の水が、ホルダ１１０とカートリッジ１９０との接合面から溢れ出る。ホルダ１１０からカートリッジ１９０が取り外される場合には、フィルタアセンブリ１００の移動にトレイ１６０が連動することによって、水を受ける面としての上面１６１ａおよび上面１６２ａが、ホルダ１１０とカートリッジ１９０との接合面よりも下方にまで移動する。ホルダ１１０とカートリッジ１９０との接合面から溢れ出た水は、上流部１６１の上面１６１ａまたは下流部１６２の上面１６２ａに受け止められる。フィルタアセンブリ１００（図３参照）が筐体１０（図３参照）に対して移動を制限される位置に到達するときには、上面１６２ａは、上面１６１ａよりも下方に配置される。上面１６１ａまたは上面１６２ａを伝って下方に移動する水は、孔１６２ｃから下方に落下する。
【００６４】
トレイ１６０の上流部１６１は、障壁板１６５を有している。障壁板１６５は、上面１６１ａが延びる方向と交差する方向に延びている。上下方向の上方について、障壁板１６５は、上流部１６１の側壁１６６ａ，１６６ｂの上端よりも上方にまで延びている。一方、上下方向の下方については、上流部１６１の下面よりも下方にまで障壁板１６５が延びている。トレイ１６０と支持部材１７０との固定については、障壁板１６５が支持部材１７０に固定されている。
【００６５】
上流部１６１の上面１６１ａと、下流部１６２の上面１６２ａとは、四角形状を有している。なお、上流部１６１の上面１６１ａは、軸線Ｃを中心とする円の弧に沿って、曲面状に形成されている。側壁１６６ａ，１６６ｂの上端縁１６６ｃと、側壁１６７ａ，１６７ｂの縁１６８ｃとも、軸線Ｃを中心とする円の弧に沿った曲面形状を有している。一方、下流部１６２の上面１６２ａは、平面形状を有している。
【００６６】
上面１６１ａの３辺は、障壁板１６５と側壁１６６ａ，１６６ｂとに囲まれている。側壁１６６ａ，１６６ｂと障壁板１６５とによって、上面１６１ａの３辺において水を堰き止めることができる。上面１６１ａの残りの１辺（後述する先端１６１ｅ）は、フィルタアセンブリ１００（図３参照）が筐体１０（図３参照）に対して移動を制限される位置に到達するときに、上面１６１ａから上面１６２ａに水が落下するように、上面１６２ａの上方に配置されている。このように、フィルタアセンブリ１００が筐体１０に対して移動を制限される位置に到達するときに、下流部１６２の上面１６２ａの一部は、上流部１６１の下方に配置される。これにより、上流部１６１の上面１６１ａから下流部１６２の上面１６２ａに水が移動する場合に、トレイ１６０から下方に水が途中で落下することを防止することができる。
【００６７】
下流部１６２の上面１６２ａの３辺は、障壁板１６４と側壁１６７ａ，１６７ｂとに囲まれている。上面１６２ａの残りの１辺（後述する終端１６２ｅ）は、フィルタアセンブリ１００が筐体１０（いずれも図３参照）に対して移動を制限される位置に到達するときに、上面１６１ａから上面１６２ａに水が落下するように、上面１６１ａの下方に配置されている。側壁１６７ａ，１６７ｂによって、上面１６２ａの２辺において水を堰き止めることができる。障壁板１６４と上面１６２ａとの間には、孔１６２ｃが形成されていることによって、距離が隔てられている。
【００６８】
図６に示すように、トレイ１６０よりも下方には、受皿２０が配置されている。受皿２０は、筐体１０に着脱自在に取り付けられている。筐体１０の底壁１８の下方には、開口１９が形成されている。受皿２０は、開口１９を通して筐体１０の内部に配置される。なお、カートリッジ１９０がホルダ１１０に取り付けられた状態（図３参照）、または、フィルタアセンブリ１００が筐体１０に収容された状態（図１参照）であっても、筐体１０に対して受皿２０を着脱することができる。
【００６９】
なお、図６に示すようにカートリッジ１９０がホルダ１１０から取り外された状態であっても、ホルダ１１０とトレイ１６０とは、重力とトーションバネ６のバネ力とによって筐体１０の内部に収容される元の状態に戻るように、筐体１０に対して移動することができる。
【００７０】
図７と、図９〜１２とは、筐体１０の断面図であって、浄水器１を側面から見た図である。図７に示すように、筐体１０の内部には、誘導壁１３と誘導壁１４とが形成されている。言い換えると、浄水器１の本体は、誘導壁１３，１４を有している。誘導壁１３と誘導壁１４とは、孔１６２ｃ（図５参照）よりも下方且つ受皿２０の上方において上下方向に延びる。また、壁部１１も誘導壁としての機能を有している。壁部１１には、開口部１２（図７（Ｂ）参照）が形成されている。筐体１０に対してトレイ１６０が移動するときには、開口部１２をトレイ１６０が通る。
【００７１】
誘導壁１４は、鉛直上下方向に対して傾斜している。詳細には、誘導壁１４は、フィルタアセンブリ１００が筐体１０に取り付けられているときに、フィルタアセンブリ１００が筐体１０から取り外される方向の側よりも筐体１０に取り付けられる方向の側に誘導壁１４の上端が位置するように、鉛直上下方向に対して傾斜している。なお、フィルタアセンブリ１００が筐体１０から取り外される方向の側とは、壁部１１に対する浄水器１の外側をいう。フィルタアセンブリ１００が筐体１０に取り付けられる方向の側とは、壁部１１に対する浄水器１の内側、つまり、浄水器１の奥の側をいう。
【００７２】
トレイ１６０は、付勢部材の一例としてのトーションバネ６を有している。トーションバネ６は、上流部１６１と下流部１６２とが近づく方向に下流部１６２を付勢する。トーションバネ６のバネ力に打ち勝つ力でフィルタアセンブリ１００が筐体１０の外部に引っ張られる場合に、下流部１６２は、壁部１１に押し付けられつつ、上流部１６１から遠のくように移動する。下流部１６２は、上流部１６１に対して、軸線１６３を中心に回転する。フィルタアセンブリ１００が筐体１０の内部に配置された状態においては、下流部１６２が上流部１６１の上方に位置するように、上流部１６１と下流部１６２とが折り重なる。
【００７３】
また、フィルタアセンブリ１００が筐体１０の内部に配置された状態において、トレイ１６０は、壁部１１に固定される。図８に示すように、障壁板１６５は、爪部１６５ａを有している。爪部１６５ａは、フィルタアセンブリ１００が筐体１０に取り付けられた状態において、開口部１２の縁に引っ掛けられる。
【００７４】
以下では、図７と図９〜１２とを参照して、ホルダ１１０からカートリッジ１９０が取り外される場合において、ホルダ１１０とカートリッジ１９０とトレイ１６０との筐体１０に対する移動について説明する。
【００７５】
図７（Ａ）に示すように、フィルタアセンブリ１００が筐体１０に収容された状態においては、開口部１２の上側の縁に、上流部１６１の側壁１６６ａ，１６６ｂ（いずれも図５参照）の上端縁１６６ｃが接触している。開口部１２の上側の縁の断面は、円弧形状を有している。また、トーションバネ６のバネ力によって、上流部１６１に対して下流部１６２が軸線１６３を中心に近づけられている。これにより、フィルタアセンブリ１００が筐体１０に収容された状態においては、上流部１６１の上面１６１ａ（図５参照）と下流部１６２の上面１６２ａ（図５参照）とが対向する。
【００７６】
フィルタアセンブリ１００が筐体１０に収容された状態において、使用者がフィルタアセンブリ１００を図７（Ａ）の左方から右方に向かって引っ張ることにより、爪部１６５ａが壁部１１から離れる。爪部１６５ａが壁部１１から離れた後には、図７（Ｂ）に示すように、下流部１６２の側壁１６７ａ，１６７ｂ（いずれも図５参照）の縁１６８ｃが壁部１１に接触しながら上流部１６１とフィルタアセンブリ１００とが左方から右方に向かって移動する。
【００７７】
フィルタアセンブリ１００がさらに移動するように使用者がフィルタアセンブリ１００を引っ張る場合には、上端縁１６６ｃと開口部１２の上側の縁とが接触しながら上流部１６１が開口部１２を通る。フィルタアセンブリ１００がさらに移動するように使用者がフィルタアセンブリ１００を引っ張る場合には、上流部１６１と下流部１６２とが離れるように、トーションバネ６のバネ力に反して上流部１６１に対して下流部１６２が軸線１６３を中心に回転する。このとき、下流部１６２は、縁１６８ｃと壁部１１との接触点を支点にして上流部１６１に対して回転する。このようにして、トレイ１６０は、軸心Ｃを中心とするフィルタアセンブリ１００の回転に連動することによって、筐体１０の奥から手前に向かって移動する。なお、図７（Ａ）〜（Ｃ）に示すフィルタアセンブリ１００は、軸心Ｃを中心に反時計回りに回転する。
【００７８】
さらにフィルタアセンブリ１００が回転する場合に、図７（Ｃ）に示すように、上端縁１６６ｃと開口部１２の上側の縁とが接触しながら上流部１６１が左方から右方に向かって移動する。また、上流部１６１と下流部１６２とがさらに離れるように、上流部１６１に対して下流部１６２がさらに回転する。図７（Ｃ）に示す状態においては、上流部１６１に対する下流部１６２の回転によって、下流部１６２の上面１６２ａ（図５参照）が略鉛直方向に延びるように、上流部１６１または壁部１１に対して下流部１６２が傾斜する。
【００７９】
さらにフィルタアセンブリ１００が回転する場合には、上流部１６１が図７（Ｃ）の左方から右方に向かってさらに移動し、また、上流部１６１と下流部１６２とがさらに離れるように、上流部１６１に対して下流部１６２が回転する。このような移動によって、図７（Ｃ）に示す状態から図９（Ａ）に示す状態に移行する。図９（Ａ）に示す状態においては、上流部１６１に対する下流部１６２の回転によって、上流部１６１の上面１６１ａ（図５参照）が下流部１６２の上面１６２ａ（図５参照）に対向しない角度にまで、上面１６１ａと上面１６２ａとがなす角度が広がる。
【００８０】
続いて、フィルタアセンブリ１００がさらに回転する場合には、フィルタアセンブリ１００とトレイ１６０とが図９（Ｂ）に示す状態に移行する。図９（Ｂ）に示す状態においては、上流部１６１の上端縁１６６ｃと、下流部１６２の縁１６８ｃとが開口部１２の上側の縁に接触している。
【００８１】
フィルタアセンブリ１００がさらに回転する場合に、上流部１６１が図９（Ｂ）の左方から右方に向かってさらに移動し、また、上流部１６１に対して下流部１６２がさらに回転することによって、図１０（Ａ）に示すように、上流部１６１の上端縁１６６ｃと開口部１２の上側の縁との接触が解除される。その代わりに、下流部１６２の縁１６８ｃが、開口部１２の上側の縁に接触する。
【００８２】
図１０（Ａ）に示す状態からさらにフィルタアセンブリ１００が回転することによって、図１０（Ｂ）に示すように、上流部１６１の上端縁１６６ｃと、下流部１６２の縁１６８ｃとが連続する位置にまで、上流部１６１に対して下流部１６２がさらに回転する。図１０（Ｂ）に示す状態においては、開口部１２からの上流部１６１の通過が完了している。また、上流部１６１に対する下流部１６２の回転が略完了する。このとき、上流部１６１の上端縁１６６ｃと下流部１６２の縁１６８ｃとが連続する。
【００８３】
図１０（Ｂ）に示す状態の後の状態においては、下流部１６２の縁１６８ｃが開口部１２の上側の縁に接触しながら、下流部１６２が開口部１２を通過する。なお、図１０（Ｂ）〜図１２（Ｂ）に示す状態において、互いに連続する上流部１６１の上端縁１６６ｃと下流部１６２の縁１６８ｃとは、軸線Ｃを中心とする円弧に沿って延びている。
【００８４】
図１０（Ｂ）に示す状態からホルダ１１０とカートリッジ１９０とトレイ１６０との筐体１０に対する移動が進行するにつれて、水平面に対する上流部１６１の上面１６１ａ（図５参照）および下流部１６２の上面１６２ａ（図５参照）の角度が変化する。図１０（Ｂ）に示す状態において、上流部１６１の上面１６１ａ（図５参照）における障壁板１６５の側の端は、軸線１６３の側の端よりも下方に配置される。
【００８５】
フィルタアセンブリ１００がさらに回転する場合には、図１０（Ｂ）に示す状態から図１１（Ａ）に示す状態に移行する。図１１（Ａ）に示す状態においては、上面１６２ａ（図５参照）における障壁板１６５の側の端と軸線１６３の側の端とが、同一の水平面上に配置される。また、図１１（Ａ）に示す状態においては、下流部１６２の上面１６２ａ（図５参照）における障壁板１６４（図５参照）の側の端が、軸線１６３の側の端よりも上方に配置される。さらに、図１１（Ｂ）に示す状態以降の状態においては、上流部１６１の上面１６１ａ（図５参照）における障壁板１６５の側の端が、軸線１６３の側の端よりも上方に配置され、且つ、下流部１６２の上面１６２ａ（図５参照）における障壁板１６４（図５参照）の側の端が、軸線１６３の側の端よりも下方に配置されるように、壁部１１に対してトレイ１６０が傾斜する。
【００８６】
ホルダ１１０とカートリッジ１９０とトレイ１６０との筐体１０に対する移動がさらに進行することによって、図１２（Ａ）に示すように、トレイ１６０の突出部１６２ｄが誘導壁１３と壁部１１との間に配置される。続いて、図１２（Ｂ）に示すように、カートリッジ１９０がホルダ１１０から取り外される場合に筐体１０に対する移動が制限される位置にフィルタアセンブリ１００が到達する。
【００８７】
図１３に示される状態は、図１２（Ｂ）に示す浄水器１の状態と同一の状態である。図１３においては、トレイ１６０の断面が示されている。トレイ１６０の下流部１６２は、ストッパ１６８ａ（図１２（Ｂ）参照）と、ストッパ１６８ｂ（図１３参照）とを有している。ストッパ１６８ａは、側壁１６７ａの縁１６８ｃに形成された突起であって、ストッパ１６８ｂは、側壁１６７ｂの縁１６８ｃに形成された突起である（いずれも図５参照）。ストッパ１６８ａ，１６８ｂが開口部１２の上側の縁に係止されることによって、フィルタアセンブリ１００およびトレイ１６０は、筐体１０に対して移動を制限される。つまり、ストッパ１６８ａ，１６８ｂが開口部１２の上側の縁に係止される場合は、フィルタアセンブリ１００に負荷される重力と、トーションバネ６のバネ力とによってトレイ１６０およびフィルタアセンブリ１００が元の位置に戻ることを抑制することができる。
【００８８】
また、トレイ１６０の下流部１６２は、突出部１６２ｄを有している。突出部１６２ｄは、障壁板１６４が延びる方向と略平行な方向に、下流部１６２の底部１６２ｂから突出している。突出部１６２ｄが開口部１２の下側の縁に引っ掛けられることによって、使用者は、ホルダ１１０からカートリッジ１９０を取り外す場合に、ホルダ１１０からカートリッジ１９０が離れる方向に容易に力を加えることができる。
【００８９】
突出部１６２ｄと障壁板１６４との間には、孔１６２ｃが形成されている。孔１６２ｃは、カートリッジ１９０がホルダ１１０から取り外される場合に筐体１０に対する移動が制限される位置にフィルタアセンブリ１００が到達するときに上面１６１ａおよび上面１６２ａにおいて下端に位置する。また、カートリッジ１９０がホルダ１１０から取り外される場合に筐体１０に対する移動が制限される位置においては、孔１６２ｃと受皿２０（図１２（Ｂ）参照）との間に、開口部１２よりも下方の壁部１１の一部と、誘導壁１３とが上下方向に延びている。
【００９０】
図１３に示すようにフィルタアセンブリ１００の移動が制限される位置においては、フィルタアセンブリ１００の移動方向に沿ったホルダ１１０とカートリッジ１９０との接合面の両端の距離を鉛直方向に投影した距離Ｌは、上流部１６１の上面１６１ａにおける障壁板１６５の側の端１６１ｄと先端１６１ｅとの距離を鉛直方向に投影した距離Ｌ1の範囲に配置される。このように、カートリッジ１９０がホルダ１１０から取り外される場合に、フィルタアセンブリ１００が筐体１０に対して移動を制限される位置に到達するときに、ホルダ１１０とカートリッジ１９０との接合面を鉛直方向に投影した面の全体は、トレイ１６０における水を受ける面を鉛直方向に投影した面の範囲に配置される。より詳細には、ホルダ１１０とカートリッジ１９０との接合面を鉛直方向に投影した面の全体は、上流部１６１の上面１６１ａを鉛直方向に投影した面の範囲に配置される。
【００９１】
なお、図１３の表裏方向に沿った上面１６１ａの寸法および上記接合面の寸法については、図５を用いて説明する。軸線Ｃが延びる方向に沿った上記接合面の両端の距離（つまり直径）Ｄは、上流部１６１の上面１６１ａの幅Ｗの範囲に配置される。幅Ｗの寸法は、直径Ｄの寸法以上である。また、カートリッジ１９０の軸心は、直径Ｄを有する略円形の上記接合面の中心を通る。また、カートリッジ１９０の軸心を鉛直方向に投影した線は、幅Ｗの中間点を通る。
【００９２】
次に、以下では、ホルダ１１０にカートリッジ１９０を取り付けたうえでフィルタアセンブリ１００を筐体１０に取り付ける場合において、ホルダ１１０とカートリッジ１９０とトレイ１６０との筐体１０に対する移動について説明する。
【００９３】
ホルダ１１０からカートリッジ１９０が取り外されるときに回転する方向と逆の方向にカートリッジ１９０をホルダ１１０に対して回転させることによって、ホルダ１１０にカートリッジ１９０が取り付けられる。
【００９４】
フィルタアセンブリ１００を筐体１０に取り付ける場合には、図７（Ａ）〜（Ｃ）および図９（Ａ）〜図１２（Ｂ）を逆の順に、ホルダ１１０とカートリッジ１９０とトレイ１６０とが筐体１０に対して移動する。
【００９５】
浄水器１においては、フィルタアセンブリ１００を筐体１０に取り付ける場合等、トレイ１６０を元の位置に戻す間に、トレイ１６０の上面１６１ａおよび上面１６２ａに残った水を受皿２０に落下させることができる。図１２（Ｂ）に示すように、底壁１８において、誘導壁１３と壁部１１との間には、開口１７が形成されている。
【００９６】
図１２（Ｂ）〜図１２（Ａ）に示す状態において、孔１６２ｃ（図１３参照）は、壁部１１と誘導壁１３との間に位置付けられる。また、この状態において、誘導壁１３よりも上方の位置に孔１６２ｃが位置付けられる。さらに、図１１（Ｂ）に示す状態において、孔１６２ｃ（図１３参照）は、誘導壁１４の上方に位置付けられる。図１２（Ｂ）〜図１１（Ｂ）に示す状態においては、トレイ１６０の上面１６１ａおよび上面１６２ａにおいて孔１６２ｃ（いずれも図１３参照）が下端に位置している。そのため、図１２（Ｂ）〜図１１（Ｂ）に示す状態においては、上面１６１ａおよび上面１６２ａに残った水は、孔１６２ｃ（図１３参照）から落下した後に、例えば誘導壁１４、誘導壁１３または壁部１１を伝うことによって受皿２０にまで落下する。
【００９７】
また、図１２（Ｂ）〜図７（Ａ）に示す状態において、上面１６２ａ（図１３参照）の終端１６２ｅが誘導壁１３よりも上方の位置に位置付けられる。図９（Ｂ）〜図７（Ａ）に示す状態においては、終端１６２ｅが誘導壁１４よりも上方の位置に位置付けられる。図１２（Ｂ）〜図１１（Ｂ）に示す状態においてトレイ１６０のすべての水が落下せずに、図１１（Ｂ）に示す状態において上面１６２ａに水が残っている場合でも、図１１（Ａ）に示す状態から図１０（Ａ）に示す状態に移行するまでの間に、上面１６２ａを水が流れる。これにより、図１０（Ａ）〜図７（Ａ）に示す状態においては、上面１６１ａに残った水が、誘導壁１４、誘導壁１３または壁部１１を伝って受皿２０にまで落下する。
【００９８】
以上のように、浄水器１は、筐体１０とフィルタアセンブリ１００とトレイ１６０とを備えている。フィルタアセンブリ１００は、筐体１０に取り付けられる。フィルタアセンブリ１００は、カートリッジ１９０と、カートリッジ１９０に着脱自在に連結されるホルダ１１０とを有している。カートリッジ１９０は、水を濾過するフィルタ１８０を含む。トレイ１６０は、フィルタアセンブリ１００を筐体１０に対して移動させることによってカートリッジ１９０をホルダ１１０から取り外す場合に、筐体１０に対するフィルタアセンブリ１００の移動に連動する。
【００９９】
浄水器１においては、カートリッジ１９０がホルダ１１０から取り外される場合には、筐体１０に対するフィルタアセンブリ１００の移動に、トレイ１６０が連動する。例えばフィルタ１８０を交換する場合等、カートリッジ１９０がホルダ１１０から取り外される場合に、フィルタアセンブリ１００の内部から溢れた水は、トレイ１６０に受け止められるため、浄水器１の外部には水がこぼれ難い。そのため、浄水器１がシンクで使用されていない場合、例えば壁に掛けられた状態等で浄水器１が使用されている場合であっても、浄水器１から外部に水が飛散して床面が濡れるような事態を防止することができる。
【０１００】
このようにすることにより、カートリッジ１９０とホルダ１１０とを有するフィルタアセンブリ１００が筐体１０に取り付けられた浄水器１であって、ホルダ１１０が筐体１０に取り付けられた状態においてホルダ１１０からカートリッジ１９０を取り外す場合に、フィルタアセンブリ１００の外部にこぼれる水が浄水器１の外部に飛散することを防止することが可能な浄水器１を提供することができる。
【０１０１】
浄水器１において、カートリッジ１９０がホルダ１１０から取り外される場合に、ホルダ１１０とカートリッジ１９０との接合面を鉛直方向に投影した面の少なくとも一部は、トレイ１６０の上面１６１ａおよび上面１６２ａを鉛直方向に投影した面の範囲に配置される。
【０１０２】
この構成によれば、カートリッジ１９０がホルダ１１０から取り外される場合に、トレイ１６０の上面１６１ａおよび上面１６２ａにおいて、接合面から滴る水を受け止めることができる。このようにして、浄水器１においては、浄水器１の外部に水が飛散することを防止することができる。
【０１０３】
浄水器１において、カートリッジ１９０がホルダ１１０から取り外される場合に、フィルタアセンブリ１００が筐体１０に対して移動を制限される位置に到達するときに、ホルダ１１０とカートリッジ１９０との接合面を鉛直方向に投影した面の全体は、トレイ１６０における上面１６１ａおよび上面１６２ａを鉛直方向に投影した面の範囲に配置される。
【０１０４】
この構成によれば、カートリッジ１９０がホルダ１１０から取り外される場合に、トレイ１６０の上面１６１ａおよび上面１６２ａにおいて、接合面から溢れる水のほぼ全部を受け止めることができる。このようにして、浄水器１においては、浄水器１の外部に水が飛散することを防止することができる。また、フィルタアセンブリ１００の筐体１０に対する移動が制限される位置において、使用者がカートリッジ１９０をホルダ１１０から取り外す際に、ホルダ１１０とカートリッジ１９０との接合面からフィルタアセンブリ１００の外部に水が溢れ出ようとしたとしても、その水が浄水器１の外部に飛散することを防止することができる。
【０１０５】
浄水器１は、受皿２０を備えている。受皿２０は、トレイ１６０よりも下方に位置する。
【０１０６】
この構成によれば、トレイ１６０から溢れた水またはトレイ１６０から離れた位置に滴り落ちた水等は、受皿２０に受け止められる。そのため、浄水器１の外部に水が飛散することを防止することができる。
【０１０７】
浄水器１において、受皿２０は、筐体１０に着脱自在に取り付けられている。
【０１０８】
この構成によれば、受皿２０に水を溜めたうえで、溜まった水を処分することができる。
【０１０９】
浄水器１において、トレイ１６０には、トレイ１６０から受皿に水を落下させる孔１６２ｃが形成されている。孔１６２ｃは、カートリッジ１９０がホルダ１１０から取り外される場合に筐体１０に対する移動が制限される位置にフィルタアセンブリ１００が到達するときにトレイ１６０の上面１６１ａおよび上面１６２ａにおいて下端に位置する。
【０１１０】
ホルダ１１０からカートリッジ１９０が取り外される場合には、ホルダ１１０とカートリッジ１９０との接合面から水が溢れる。ホルダ１１０とカートリッジ１９０との接合面から溢れた水は、トレイ１６０の水を受ける面において受け止められる。また、浄水器１においては、ホルダ１１０からカートリッジ１９０が取り外される場合に、トレイ１６０は、筐体１０に対するフィルタアセンブリ１００の移動に連動する。この構成によれば、筐体１０に対するフィルタアセンブリ１００の移動が制限される位置においてトレイ１６０の筐体１０に対する移動を停止させたままで、孔１６２ｃから受皿２０に水を落とすことによって、受皿２０に水を集めることができる。
【０１１１】
浄水器１において、筐体１０は、誘導壁１３と誘導壁１４と壁部１１とを有している。誘導壁１３と誘導壁１４とは、孔１６２ｃよりも下方且つ受皿２０の上方において上下方向に延びる。また、開口部１２の下方に位置する壁部１１の一部は、孔１６２ｃよりも下方且つ受皿２０の上方において上下方向に延びる。
【０１１２】
この構成によれば、誘導壁１４と、誘導壁１３または壁部１１とによって、トレイ１６０から受皿２０に水を容易に誘導することができる。そのため、受皿２０に水を効率よく集めることができる。
【０１１３】
浄水器１において、トレイ１６０は、上流部１６１と下流部１６２とトーションバネ６とを有している。上流部１６１は、フィルタアセンブリ１００の移動に連動する。下流部１６２は、上流部１６１に連結されている。トーションバネ６は、上流部１６１と下流部１６２とが近づく方向に下流部１６２を付勢する。
【０１１４】
この構成によれば、トレイ１６０を使用しない場合に、上流部１６１と下流部１６２とを近づけることによってトレイ１６０をコンパクトにまとめることができる。そのため、浄水器１の小型化を図ることができる。
【０１１５】
浄水器１において、筐体１０は、壁部１１を有している。壁部１１には、筐体１０に対してトレイ１６０が移動するときにトレイ１６０が通る開口部１２が形成されている。トレイ１６０は、開口部１２の縁に係止されるストッパ１６８ａ，１６８ｂを有している。
【０１１６】
この構成によれば、ストッパ１６８ａ，１６８ｂが開口部１２に係止されることによって、壁部１１つまり筐体１０に対するトレイ１６０の移動を制限することができる。これにより、開口部１２を通してトレイ１６０が元の位置に戻ることを防止することができる。
【０１１７】
トレイ１６０は、開口部１２の縁に引っ掛けられる突出部１６２ｄを有している。
【０１１８】
この構成によれば、突出部１６２ｄが開口部１２の縁に引っ掛けられることによって、壁部１１つまり筐体１０に対するトレイ１６０の移動を制限することができる。トレイ１６０はフィルタアセンブリ１００の移動に連動するため、フィルタアセンブリ１００の筐体１０に対する移動が制限される位置においては、トレイ１６０は筐体１０に対して移動が制限される。したがって、使用者は、壁部１１つまり筐体１０に対するフィルタアセンブリ１００およびトレイ１６０の移動が制限される位置において、カートリッジ１９０をホルダから容易に取り外すことができる。
【０１１９】
トレイ１６０は、フィルタアセンブリ１００が筐体１０に取り付けられた状態において、開口部１２の縁に引っ掛けられる爪部１６５ａを有している。
【０１２０】
この構成によれば、フィルタアセンブリ１００が筐体１０に取り付けられた状態において、爪部１６５ａが開口部１２に引っ掛けられることによって、壁部１１つまり筐体１０に対するフィルタアセンブリ１００の移動を制限することができる。これにより、フィルタアセンブリ１００が筐体１０に取り付けられた状態を維持することができる。
【０１２１】
浄水器１において、ホルダ１１０は、軸線Ｃを有し且つ筐体１０に対して軸線Ｃを中心に回転移動する。
【０１２２】
この構成によれば、ホルダ１１０は、筐体１０に対して軸線Ｃを中心に回転移動する。したがって、この構成によれば、使用者は、ホルダ１１０とカートリッジ１９０とを含むフィルタアセンブリ１００を、軸線Ｃを中心に回転させることによって筐体１０に対して移動させた位置において、カートリッジ１９０をホルダ１１０から取り外すこと、または、カートリッジ１９０をホルダ１１０に取り付けることができる。また、この構成によれば、筐体１０の内部において形成されるカートリッジ１９０の取り付けまたは取り外しのためにフィルタアセンブリ１００を筐体１０に対して移動させるための空間の容積を比較的小さく抑えることができるため、浄水器１の小型化を図ることができる。
【０１２３】
浄水器１は、支持部材１７０を備えている。支持部材１７０は、トレイ１６０に固定されている。
【０１２４】
この構成によれば、フィルタアセンブリ１００が移動する場合に、トレイ１６０とともに支持部材１７０が移動する。
【０１２５】
支持部材１７０は、カートリッジ１９０を着脱自在に支持する。
【０１２６】
この構成によれば、ホルダ１１０にカートリッジ１９０が取り付けられている状態においては、支持部材１７０に支持されたカートリッジ１９０の移動に、トレイ１６０と支持部材１７０とが連動する。また、この構成によれば、支持部材１７０がカートリッジ１９０を着脱自在に支持することができるため、支持部材１７０にカートリッジ１９０を支持させたうえで、ホルダ１１０にカートリッジ１９０を取り付けることができる。
【０１２７】
浄水器１は、連結部７１，７２を備えている。連結部７１，７２は、上端部と下端部とを含み、長手方向の所定の寸法を有する。浄水器１においては、連結部７１，７２が軸線Ｃを中心にホルダ１１０とともに回転するように、上端部がホルダ１１０に連結され且つ下端部が支持部材１７０に連結されている。
【０１２８】
支持部材１７０がトレイ１６０に固定されているため、この構成によれば、連結部７１，７２を介してトレイ１６０がホルダ１１０とともに軸線Ｃを中心に回転する。これにより、ホルダ１１０とカートリッジ１９０とを含むフィルタアセンブリ１００と、トレイ１６０とが、筐体１０に対して回転せずに、例えば水平移動または鉛直移動する場合に比べて、筐体１０に対してフィルタアセンブリ１００およびトレイ１６０が移動する範囲を小さくすることができる。そのため、浄水器１を小型化することができる。
【０１２９】
なお、浄水器１の使用者は、図１２（Ｂ）に示す状態以外の状態、つまり、図７（Ａ）〜図１２（Ａ）に示す状態のいずれかの状態においても、カートリッジ１９０をホルダ１１０から取り外すことができる。図７（Ｂ）〜図１２（Ｂ）に示す状態のいずれかの状態においても、カートリッジ１９０がホルダ１１０から取り外される場合に、ホルダ１１０とカートリッジ１９０との接合面を鉛直方向に投影した面の少なくとも一部が、トレイ１６０における上面１６１ａおよび上面１６２ａを鉛直方向に投影した面の範囲に配置される。
【０１３０】
なお、本発明に従った浄水器において、カートリッジは、ホルダに対して回転する構成を有していなくてもよい。つまり、カートリッジとホルダとの連結は、ホルダに対してカートリッジを回転させなくても、カートリッジがホルダから取り外され、または、カートリッジがホルダに取り付けられる構成であってもよい。例えば、本発明に従った浄水器の本体は、ホルダに対してカートリッジが外れないように、カートリッジが延びる方向に沿ってホルダに対してカートリッジが移動することを制限する構成を有していてもよい。
【０１３１】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１３２】
１：浄水器、６：トーションバネ、１０：筐体、１１：壁部、１２：開口部、１３：誘導壁、１４：誘導壁、２０：受皿、７１，７２：連結部、１００：フィルタアセンブリ、１１０：ホルダ、１６０：トレイ、１６１：上流部、１６１ａ：上面、１６２：下流部、１６２ａ：上面、１６２ｃ：孔、１６２ｄ：突出部、１６５ａ：爪部、１６８ａ，１６８ｂ：ストッパ、１７０：支持部材、１８０：フィルタ、１９０：カートリッジ、Ｃ：軸線
【図１】
2014030810.tif 000003
【図２】
2014030810.tif 000004
【図３】
2014030810.tif 000005
【図４】
2014030810.tif 000006
【図５】
2014030810.tif 000007
【図６】
2014030810.tif 000008
【図７】
2014030810.tif 000009
【図８】
2014030810.tif 000010
【図９】
2014030810.tif 000011
【図１０】
2014030810.tif 000012
【図１１】
2014030810.tif 000013
【図１２】
2014030810.tif 000014
【図１３】
2014030810.tif 000015